(57)【要約】【課題】モニタ画像を、被写体とは反対側からも、前記被写体側からも見ることができ、しかも容易に使用することができるとともに、構造が簡単で低コストに製造することができるモニタ付きデジタルカメラを提供する。【解決手段】カメラ本体１の撮像レンズ２が設けられた前面とは反対側の後面に第１の表示窓３を設け、前記カメラ本体１の前面に前記第１の表示窓３に対応させて第２の表示窓４を設け、前記カメラ本体１内に、両面表示型のモニタ画像表示素子１２を、その一方の面を前記第１の表示窓３に対向させ、他方の面を前記第２の表示窓４に対向させて配置した。【選択図】図４
2005191818.tif 000002
【特許請求の範囲】
【請求項１】
前面と後面とを有する薄型の機器本体と、前記機器本体の前面に設けられた撮像レンズを有する電子撮像手段と、前記機器本体の後面に設けられた第１の表示窓と、前記機器本体の前面に前記第１の表示窓に対応させて設けられた第２の表示窓と、一方の面を前記第１の表示窓に対向させ、他方の面を前記第２の表示窓に対向させて前記機器本体内に配置された両面表示型のモニタ画像表示素子とを備えたことを特徴とするモニタ付き撮像機器。
【請求項２】
モニタ画像表示素子は、液晶層を挟んで対向する一対の基板の対向する内面にそれぞれ互いに対向する領域によりマトリックス状に配列する複数の画素を形成する電極が設けられ、前記一対の基板の外面にそれぞれ偏光板が配置された透過型液晶表示素子であり、機器本体の前面に、前記透過型液晶表示素子に第１の表示窓に対向する面から入射して前記透過型液晶表示素子を透過した光を反射する表示窓遮蔽板が、第２の表示窓に対応する閉状態と前記第２の表示窓の側方に退避させた開状態とにスライド可能に設けられていることを特徴とする請求項１に記載のモニタ付き撮像機器。
【請求項３】
第１の表示窓と透過型液晶表示素子との間に、前記透過型液晶表示素子に向けて照明光を出射し、前記第１の表示窓に対向する面及び前記透過型液晶表示素子に対向する面から入射した光を透過させる面光源がさらに配置されていることを特徴とする請求項２に記載のモニタ付き撮像機器。
【請求項４】
モニタ画像表示素子は、液晶層を挟んで対向する一対の基板の対向する内面にそれぞれ互いに対向する領域によりマトリックス状に配列する複数の画素を形成する電極が設けられるとともに、一方の基板の基板面とこの基板内面の前記電極との間に、前記複数の画素にそれぞれ部分的に対応する反射膜が設けられ、前記一対の基板の外面にそれぞれ偏光板が配置されてなり、前記複数の画素内の前記反射膜に対応する領域により、他方の基板の外面側から入射した光を前記反射膜により反射して前記他方の基板の外面側に出射する反射表示部を形成し、他の領域により、前記一方の基板の外面側から入射した光を透過させて前記他方の基板の外面側に出射する透過表示部を形成した反射／透過型液晶表示素子であり、この反射／透過型液晶表示素子が、前記反射膜が設けられた側の面を第２の表示窓に対向させて配置され、第１の表示窓と前記反射／透過型液晶表示素子との間に、前記反射／透過型液晶表示素子に向けて照明光を出射し、前記第１の表示窓に対向する面及び前記透過型液晶表示素子に対向する面から入射した光を透過させる面光源が配置されていることを特徴とする請求項１に記載のモニタ付き撮像機器。
【発明の詳細な説明】
【技術分野】
【０００１】
この発明はモニタ付き撮像機器に関する。
【背景技術】
【０００２】
例えばデジタルカメラ等のモニタ付き撮像機器として、モニタ画像を、被写体とは反対側からも、前記被写体側からも見ることができるようにしたものがある。
【０００３】
この種のモニタ付き撮像機器は、従来、後面に表示窓を設け、内部に前記表示窓に対向させて液晶表示素子等のモニタ画像表示素子を配置した機器本体と、撮像レンズを有する電子撮像手段を前記撮像レンズの入射端を外部に露出させて内蔵した撮像ユニットとを備え、前記撮像ユニットを、前記機器本体の一側に、前記撮像レンズの入射端を前記機器本体の前方に向けた姿勢と前記撮像レンズの入射端を前記機器本体の後方に向けた姿勢とに回動可能に枢支した構成とされている（特許文献１参照）。
【特許文献１】特開２０００―９２３６７号公報
【発明の開示】
【発明が解決しようとする課題】
【０００４】
しかし、上記従来のモニタ付き撮像機器は、風景等の被写体を撮像するときも、撮像者自身等の被写体を撮像するときも、そのモニタ画像を機器本体の後面の表示窓に表示するものであるため、風景等の被写体を撮像するときは、前記撮像ユニットをその撮像レンズの入射端を前記機器本体の前方に向けた姿勢に回動させ、撮像者自身等の被写体を撮像するときは、前記撮像ユニットをその撮像レンズの入射端を前記機器本体の後方に向けた姿勢に回動させなければならず、したがって使用が面倒である。
【０００５】
しかも、従来のモニタ付き撮像機器は、機器本体内にモニタ画像表示素子を設け、前記機器本体とは別体の撮像ユニットに撮像レンズを有する電子撮像手段を設け、前記撮像ユニットを前記機器本体の一側に枢支したものであるため、構造が複雑で、製造コストが高くなってしまう。
【０００６】
この発明は、モニタ画像を、被写体とは反対側からも、前記被写体側からも見ることができ、しかも容易に使用することができるとともに、構造が簡単で低コストに製造することができるモニタ付き撮像機器を提供することを目的としたものである。
【課題を解決するための手段】
【０００７】
この発明のモニタ付き撮像機器は、前面と後面とを有する薄型の機器本体と、前記機器本体の前面に設けられた撮像レンズを有する電子撮像手段と、前記機器本体の後面に設けられた第１の表示窓と、前記機器本体の前面に前記第１の表示窓に対応させて設けられた第２の表示窓と、一方の面を前記第１の表示窓に対向させ、他方の面を前記第２の表示窓に対向させて前記機器本体内に配置された両面表示型のモニタ画像表示素子とを備えたことを特徴とする。
【０００８】
この発明のモニタ付き撮像機器において、前記モニタ画像表示素子は、例えば、液晶層を挟んで対向する一対の基板の対向する内面にそれぞれ互いに対向する領域によりマトリックス状に配列する複数の画素を形成する電極が設けられ、前記一対の基板の外面にそれぞれ偏光板が配置された透過型液晶表示素子でよい。
【０００９】
その場合は、前記機器本体の前面に、前記透過型液晶表示素子に前記第１の表示窓に対向する面から入射して前記透過型液晶表示素子を透過した光を反射する表示窓遮蔽板を、前記第２の表示窓に対応する閉状態と前記第２の表示窓の側方に退避させた開状態とにスライド可能に設けるのが望ましい。
【００１０】
また、前記モニタ画像表示素子を前記透過型液晶表示素子とし、前記機器本体の前面に前記表示窓遮蔽板を設ける場合は、前記第１の表示窓と前記透過型液晶表示素子との間に、前記透過型液晶表示素子に向けて照明光を出射し、前記第１の表示窓に対向する面及び前記透過型液晶表示素子に対向する面から入射した光を透過させる面光源をさらに配置するのがより望ましい。
【００１１】
また、この発明のモニタ付き撮像機器において、前記モニタ画像表示素子は、液晶層を挟んで対向する一対の基板の対向する内面にそれぞれ互いに対向する領域によりマトリックス状に配列する複数の画素を形成する電極が設けられるとともに、一方の基板の基板面とこの基板内面の前記電極との間に、前記複数の画素にそれぞれ部分的に対応する反射膜が設けられ、前記一対の基板の外面にそれぞれ偏光板が配置されてなり、前記複数の画素内の前記反射膜に対応する領域により、他方の基板の外面側から入射した光を前記反射膜により反射して前記他方の基板の外面側に出射する反射表示部を形成し、他の領域により、前記一方の基板の外面側から入射した光を透過させて前記他方の基板の外面側に出射する透過表示部を形成した反射／透過型液晶表示素子でもよく、その場合は、前記反射／透過型液晶表示素子を、前記反射膜が設けられた側の面を第２の表示窓に対向させて配置するのが望ましい。
【００１２】
そして、前記モニタ画像表示素子を前記反射／透過型液晶表示素子とする場合は、前記第１の表示窓と前記反射／透過型液晶表示素子との間に、前記反射／透過型液晶表示素子に向けて照明光を出射し、前記第１の表示窓に対向する面及び前記透過型液晶表示素子に対向する面から入射した光を透過させる面光源を配置するのが好ましい。
【発明の効果】
【００１３】
この発明のモニタ付き撮像機器は、機器本体の前面に撮像レンズを設けるとともに、前記機器本体の後面に第１の表示窓を設け、前記機器本体の前面に前記第１の表示窓に対応させて第２の表示窓を設け、前記機器本体内に、両面表示型のモニタ画像表示素子を、その一方の面を前記第１の表示窓に対向させ、他方の面を前記第２の表示窓に対向させて配置したものであるため、モニタ画像を、被写体とは反対側からも、前記被写体側からも見ることができる。
【００１４】
そして、このモニタ付き撮像機器は、機器本体の後面と前面の両方の表示窓にそれぞれモニタ画像を表示することができるため、風景等の被写体を撮像するときは、前記機器本体の前面、つまり撮像レンズの入射端を露出させた面を前記風景等の被写体側に向け、前記機器本体の後面の第１の表示窓に表示されたモニタ画像を見て撮像し、撮像者自身等の被写体を撮像するときは、前記機器本体の前面（撮像レンズの入射端の露出面）を前記撮像者側に向け、この機器本体の前面の第２の表示窓に表示されたモニタ画像を見て撮像すればよい。
【００１５】
そのため、このモニタ付き撮像機器は、風景等の被写体を撮像するときも、撮像者自身等の被写体を撮像するときも、前記機器本体の前面、つまり撮像レンズの入射端を露出させた面を被写体に向けるだけで、前記被写体をそのモニタ画像を見て撮像することができ、したがって容易に使用することができる。
【００１６】
しかも、このモニタ付き撮像機器は、撮像レンズを有する電子撮像手段と、モニタ画像表示素子の両方を機器本体内に設けたものであるため、構造が簡単で、低コストに製造することができる。
【００１７】
この発明のモニタ付き撮像機器において、前記モニタ画像表示素子は、例えば、液晶層を挟んで対向する一対の基板の対向する内面にそれぞれ互いに対向する領域によりマトリックス状に配列する複数の画素を形成する電極が設けられ、前記一対の基板の外面にそれぞれ偏光板が配置された透過型液晶表示素子でよく、この透過型液晶表示素子を用いることにより、前記第１の表示窓に表示する風景等の被写体のモニタ画像を、前記第２の表示窓から入射した外光を利用する透過表示により表示し、前記第２の表示窓に表示する撮像者自身等の被写体のモニタ画像を、前記第１の表示窓から入射した外光を利用する透過表示により表示することができる。
【００１８】
前記モニタ画像表示素子を前記透過型液晶表示素子とする場合は、前記機器本体の前面に、前記透過型液晶表示素子に前記第１の表示窓に対向する面から入射して前記透過型液晶表示素子を透過した光を反射する表示窓遮蔽板を、前記第２の表示窓に対応する閉状態と前記第２の表示窓の側方に退避させた開状態とにスライド可能に設けるのが望ましく、このようにすることにより、前記第１の表示窓に表示する風景等の被写体のモニタ画像を、前記第２の表示窓から入射した外光を利用する透過表示と、前記第１の表示窓から入射した外光を利用する反射表示（透過型液晶表示素子を透過した光を表示窓遮蔽板により反射させる表示）のいずれかを任意に選択して表示することができるとともに、前記第１の表示窓に風景等の被写体のモニタ画像を前記反射表示により表示するときに、前記第２の表示窓を前記表示窓遮蔽板により覆い隠すことができる。
【００１９】
このように、前記モニタ画像表示素子を透過型液晶表示素子とし、前記機器本体の前面に前記表示窓遮蔽板を設ける場合は、前記第１の表示窓と前記透過型液晶表示素子との間に、前記透過型液晶表示素子に向けて照明光を出射し、前記第１の表示窓に対向する面及び前記透過型液晶表示素子に対向する面から入射した光を透過させる面光源をさらに配置するのが好ましく、このようにすることにより、前記第１の表示窓に表示する風景等の被写体のモニタ画像を、前記外光を利用する透過表示及び反射表示に加えて、前記面光源からの照明光を利用する反射表示によっても表示し、前記第２の表示窓に表示する撮像者自身等の被写体のモニタ画像を、前記第１の表示窓から入射した外光を利用する透過表示に加えて、前記面光源からの照明光を利用する透過表示によっても表示することができる。
【００２０】
また、この発明のモニタ付き撮像機器において、前記モニタ画像表示素子は、液晶層を挟んで対向する一対の基板の対向する内面にそれぞれ互いに対向する領域によりマトリックス状に配列する複数の画素を形成する電極が設けられるとともに、一方の基板の基板面とこの基板内面の前記電極との間に、前記複数の画素にそれぞれ部分的に対応する反射膜が設けられ、前記一対の基板の外面にそれぞれ偏光板が配置されてなり、前記複数の画素内の前記反射膜に対応する領域により、他方の基板の外面側から入射した光を前記反射膜により反射して前記他方の基板の外面側に出射する反射表示部を形成し、他の領域により、前記一方の基板の外面側から入射した光を透過させて前記他方の基板の外面側に出射する透過表示部を形成した反射／透過型液晶表示素子でもよい。
【００２１】
その場合は、前記反射／透過型液晶表示素子を、前記反射膜が設けられた側の面を前記第２の表示窓に対向させて配置するのが望ましく、このようにすることにより、前記第１の表示窓に表示する風景等の被写体のモニタ画像を、前記第２の表示窓から入射した外光を利用する透過表示と、前記第１の表示窓から入射した外光を利用する反射表示（反射／透過型液晶表示素子に第１の表示窓に対向する面から入射して液晶層を透過した光を反射膜により反射させる反射表示）のいずれかを任意に選択して表示し、前記第２の表示窓に表示する撮像者自身等の被写体のモニタ画像を、前記第１の表示窓から入射した外光を利用する透過表示により表示することができる。
【００２２】
また、このように、前記モニタ画像表示素子を前記反射／透過型液晶表示素子とし、この反射／透過型液晶表示素子を前記反射膜が設けられた側の面を前記第２の表示窓に対向させて配置する場合は、前記第１の表示窓と前記反射／透過型液晶表示素子との間に、前記反射／透過型液晶表示素子に向けて照明光を出射し、前記第１の表示窓に対向する面及び前記透過型液晶表示素子に対向する面から入射した光を透過させる面光源を配置するのが好ましく、このようにすることにより、前記第１の表示窓に表示する風景等の被写体のモニタ画像を、前記外光を利用する透過表示及び反射表示に加えて、前記面光源からの照明光を利用する反射表示によっても表示し、前記第２の表示窓に表示する撮像者自身等の被写体のモニタ画像を、前記第１の表示窓から入射した外光を利用する透過表示に加えて、前記面光源からの照明光を利用する透過表示によっても表示することができる。
【発明を実施するための最良の形態】
【００２３】
図１〜図５はこの発明をモニタ付きデジタルカメラに適用した第１の実施例を示しており、図１及び図２は前記デジタルカメラの前面及び後面から見た図、図３及び図４は前記デジタルカメラの遮蔽板閉状態及び開状態の断面図である。
【００２４】
この実施例のモニタ付きデジタルカメラは、図１〜図４のように、互いに平行な前面１ａと後面１ｂとを有する薄型の機器本体（以下、カメラ本体と言う）１と、撮像レンズ２を有し、前記カメラ本体１の前面１ａに前記撮像レンズ２が設けられた電子撮像手段と、前記カメラ本体１の後面１ｂに設けられた第１の表示窓３と、前記カメラ本体１の前面１ａに前記第１の表示窓３に対応させて設けられた第２の表示窓４と、一方の面を前記第１の表示窓３に対向させ、他方の面を前記第２の表示窓４に対向させて前記カメラ本体１内に配置された両面表示型のモニタ画像表示素子１２と、前記カメラ本体１の前面に設けられた表示窓遮蔽板２４とを備えている。
【００２５】
なお、前記電子撮像手段は、前記撮像レンズ２と、前記カメラ本体１内の前記撮像レンズ２による結像面に配置された図示しないＣＣＤ（固体撮像素子）とからなっており、この電子撮像手段は、前記撮像レンズ２の対物レンズ側を前記カメラ本体１の前面の一側の上端部に露出させて設けられている。
【００２６】
前記第１の表示窓３と第２の表示窓４は、実質的に同じ面積を有する矩形状窓であり、これらの表示窓３，４は、前記撮像レンズ２の下方に位置させて設けられている。なお、図では省略しているが、前記第１の表示窓３と第２の表示窓４にはそれぞれ透明なガラス板が嵌着されている。
【００２７】
また、前記カメラ本体１の前面には、ストロボ発光部５、光学ファインダ６等が設けられ、後面には、前記光学ファインダ６の接眼部７、撮像／リプレイ切替えスイッチ８、撮像モード選択キー９等が設けられ、上面には、シャッタボタン１０等が設けられ、下面にはパソコンやプリンタ等の外部機器との接続部及びメモリカード挿入部（いずれも図示せず）等が設けられている。
【００２８】
さらに、前記カメラ本体１には、その前後面と上面のいずれか、例えば上面に、前記モニタ画像表示素子１２に左右を反転させた画像を表示させるための画像反転キー１１が設けられている。
【００２９】
前記両面表示型のモニタ画像表示素子１２は、前記第１及び第２の表示窓３，４の略全域に対応する表示エリア有するものであり、この実施例では、透過型液晶表示素子を用いている。以下、このモニタ画像表示素子１２を透過型液晶表示素子と言う。
【００３０】
図５は前記透過型液晶表示素子１２の一部分の断面図であり、この透過型液晶表示素子１２は、液晶層１３を挟んで対向する一対の透明基板１４，１５の対向する内面にそれぞれ互いに対向する領域により行方向（画面の左右方向）及び列方向（画面の上下方向）にマトリックス状に配列する複数の画素Ａを形成する透明電極１６，１７が設けられ、前記一対の基板１４，１５の外面にそれぞれ偏光板２２，２３が配置された構成となっている。
【００３１】
この透過型液晶表示素子１２は、一方の基板、例えば図において下側の基板（以下、後基板と言う）１４の内面に、マトリックス状に配列する複数の画素電極１６と、これらの画素電極１６にそれぞれ接続された複数のＴＦＴ１８と、図示しない複数のゲート配線及びデータ配線とを設け、他方の基板、つまり図において上側の基板（以下、前基板と言う）１５の内面に、一枚膜状の対向電極１７を設けたアクティブマトリックス液晶表示素子であり、前記対向電極１７は、前記前基板１５の内面に前記複数の画素Ａにそれぞれ対応させて設けられた赤，緑，青の３色のカラーフィルタ１９Ｒ，１９Ｇ，１９Ｂの上に形成されている。
【００３２】
なお、図１では前記ＴＦＴ１８を簡略化して示しているが、このＴＦＴ１８は、前記後基板１４の基板面上に形成されたゲート電極と、このゲート電極を覆って設けられたゲート絶縁膜と、前記ゲート絶縁膜の上に前記ゲート電極と対向させて形成されたｉ型半導体膜と、前記ｉ型半導体膜の両側部の上にｎ型半導体膜を介して形成されたソース電極及びドレイン電極と、これらを覆うオーバーコート絶縁膜とからなっており、前記ゲート電極は前記ゲート配線に一体に形成され、ドレイン電極は前記データ配線に接続され、ソース電極は前記画素電極１６に接続されている。
【００３３】
さらに、前記一対の基板１４，１５の内面にはそれぞれ、前記電極１６，１７を覆って配向膜２０，２１が設けられている。
【００３４】
そして、前記一対の基板１４，１５は、前記複数の画素Ａがマトリックス状に配列している表示エリアを囲む枠状のシール材（図示せず）を介して接合されており、前記一対の基板１４，１５間の前記シール材で囲まれた領域に液晶層１３が設けられている。
【００３５】
なお、この透過型液晶表示素子１２は、例えばノーマリーホワイトモードのＴＮ（ツイステッドネマティック）型液晶表示素子であり、前記液晶層１３の液晶分子は、前記一対の基板１４，１５間において実質的に９０度のツイスト角でツイスト配向し、前記一対の基板１４，１５の外面の偏光板２２，２３は、それぞれの透過軸を実質的に直交させて配置されている。
【００３６】
この透過型液晶表示素子１２は、その一方の面から入射した光の透過を複数の画素Ａの液晶層１３への印加電界に応じて制御して他方の面に画像を表示し、前記他方の面から入射した光の透過を前記複数の画素Ａの液晶層１３への印加電界に応じて制御して前記一方の面に画像を表示するものであり、いずれの面に表示される画像も、前記複数の画素Ａにそれぞれ対応するカラーフィルタ１９Ｒ，１９Ｇ，１９Ｂにより着色された赤，緑，青の３色の光によるフルカラー画像である。
【００３７】
そして、前記透過型液晶表示素子１２は、その一方の面、例えば前面（前側偏光板２３の外面）を前記第１の表示窓３に対向させ、他方の面、つまり後面（後側偏光板２２の外面）を前記第２の表示窓４に対向させて前記カメラ本体１内に配置され、前記カメラ本体１内に設けられた図示しない表示素子駆動回路に接続されている。
【００３８】
なお、図では省略しているが、前記カメラ本体１内には、前記電子撮像手段のＣＣＤを駆動するＣＣＤ駆動部、前記ＣＣＤからの撮像データを内蔵メモリ及び着脱型画像メモリに書込むデータ書込み部、前記撮像データの出力部等からなる撮像データ処理回路が設けられており、前記表示素子駆動回路は、この撮像データ処理回路に接続されている。
【００３９】
また、前記カメラ本体１の前面に設けられた表示窓遮蔽板２４は、前記透過型液晶表示素子１２に前記第１の表示窓３に対向する面から入射して前記透過型液晶表示素子１２を透過した光を散乱させて反射する散乱反射板、例えば、高反射率金属板の表面に散乱反射処理を施した反射板、または、光散乱粒子を分散させた透明樹脂板の一方の面に反射膜を設けた反射板からなっている。
【００４０】
この表示窓遮蔽板２４は、前記カメラ本体１の前面を前記表示窓遮蔽板２４の板厚と同程度の深さに凹入させて形成された横長の遮蔽板案内部２５にその長さ方向にスライド可能に嵌装されており、前記カメラ本体１の前面に設けられた第２の表示窓４に対応する閉状態（図１及び図３の状態）と、前記第２の表示窓４の側方に退避させた開状態（図４の状態）とに手動によりスライド移動される。
【００４１】
なお、前記表示窓遮蔽板２４は、前記第２の表示窓４よりも若干大きい面積を有する矩形板であり、その外面、つまり外部に露出する面には、化粧塗装が施されている。
【００４２】
上記デジタルカメラは、カメラ本体１内に、電子撮像手段をその撮像レンズ２の入射端を前記カメラ本体１の前面から外部に露出させて設けるとともに、前記カメラ本体１の後面に第１の表示窓３を設け、前記カメラ本体１の前面に前記第１の表示窓３に対応させて第２の表示窓４を設け、前記カメラ本体１内に、両面表示型のモニタ画像表示素子として、透過型液晶表示素子１２を、その一方の面を前記第１の表示窓３に対向させ、他方の面を前記第２の表示窓４に対向させて配置したものであるため、モニタ画像を、被写体とは反対側からも、前記被写体側からも見ることができる。
【００４３】
そして、このデジタルカメラは、カメラ本体１の後面と前面の両方の表示窓３，４にそれぞれモニタ画像を表示することができるため、風景等の被写体を撮像するときは、前記カメラ本体１の前面、つまり撮像レンズ２の入射端を露出させた面を前記風景等の被写体側に向け、前記カメラ本体１の後面の第１の表示窓３に表示されたモニタ画像を見て撮像し、撮像者自身等の被写体を撮像するときは、前記カメラ本体１の前面（撮像レンズ２の入射端の露出面）を前記撮像者側に向け、このカメラ本体１の前面の第２の表示窓４に表示されたモニタ画像を見て撮像すればよい。
【００４４】
そのため、このデジタルカメラは、風景等の被写体を撮像するときも、撮像者自身等の被写体を撮像するときも、前記カメラ本体１の前面、つまり撮像レンズ２の入射端を露出させた面を被写体に向けるだけで、前記被写体をそのモニタ画像を見て撮像することができ、したがって容易に使用することができる。
【００４５】
なお、前記第１の表示窓３に表示される画像は、前記透過型液晶表示素子１２の表示をその一方の面側から見た画像であり、前記第２の表示窓４に表示される画像は、前記透過型液晶表示素子１２の表示をその他方の面側から見た画像であるため、前記撮像者自身等の被写体のモニタ画像の表示時に、前記透過型液晶表示素子１２を、風景等の被写体のモニタ画像の表示時と同じ書込み方法で駆動すると、前記第２の表示窓４に表示される撮像者自身等の被写体のモニタ画像が、左右が反転した画像となる。
【００４６】
そのため、このデジタルカメラでは、カメラ本体１に画像反転キー１１を設け、図示しない表示素子駆動回路を、前記画像反転キー１１の操作に応じて前記透過型液晶表示素子１２に左右を反転させた画像データを書込むように構成することにより、前記第２の表示窓４に、左右反転の無い正常なモニタ画像を表示させるようにしている。
【００４７】
しかも、このデジタルカメラは、撮像レンズ２を有する電子撮像手段と、モニタ画像を表示する透過型液晶表示素子１２の両方をカメラ本体１内に設けたものであるため、構造が簡単で、低コストに製造することができる。
【００４８】
また、上記デジタルカメラは、前記モニタ画像表示素子１２として、液晶層１３を挟んで対向する一対の基板１４，１５の対向する内面にそれぞれ互いに対向する領域によりマトリックス状に配列する複数の画素を形成する電極が設けられ、前記一対の基板１４，１５の外面にそれぞれ偏光板２２，２３が配置された透過型液晶表示素子を用いているため、前記第１の表示窓３に表示する風景等の被写体のモニタ画像を、前記第２の表示窓４から入射した外光を利用する透過表示により表示し、前記第２の表示窓４に表示する撮像者自身等の被写体のモニタ画像を、前記第１の表示窓３から入射した外光を利用する透過表示により表示することができる。
【００４９】
さらに、上記デジタルカメラは、前記カメラ本体１の前面に、前記透過型液晶表示素子１２に前記第１の表示窓３に対向する面から入射して前記透過型液晶表示素子１２を透過した光を反射する表示窓遮蔽板２４を、前記第２の表示窓４に対応する閉状態と前記第２の表示窓の側方に退避させた開状態とにスライド可能に設けているため、前記第１の表示窓３に表示する風景等の被写体のモニタ画像を、前記第２の表示窓４から入射した外光を利用する透過表示と、前記第１の表示窓３から入射した外光を利用する反射表示（透過型液晶表示素子１２を透過した光を表示窓遮蔽板２４により反射させる表示）のいずれかを任意に選択して表示することができる。
【００５０】
すなわち、前記第１の表示窓３に表示する風景等の被写体のモニタ画像は、表示窓遮蔽板２４を閉じた状態でも、あるいは前記表示窓遮蔽板２４を開いた状態でも表示することができ、前記表示窓遮蔽板２４を閉じた状態で前記第１の表示窓３に風景等の被写体のモニタ画像を表示するときは、前記第１の表示窓３から入射し、透過型液晶表示素子１２を透過した光が、図３に矢線ａで示したように表示窓遮蔽板２４により反射され、その反射光が前記透過型液晶表示素子１２を再び透過して前記第１の表示窓３から出射する。
【００５１】
なお、この実施例では、前記表示窓遮蔽板２４を散乱反射板としているため、前記第１の表示窓３から入射して前記透過型液晶表示素子１２を透過した光を前記表示窓遮蔽板２４により散乱させて反射し、前記第１の表示窓３に、輝度分布が均一で、視野角の広いモニタ画像を表示することができる。
【００５２】
また、前記表示窓遮蔽板２４を開いた状態で前記第１の表示窓３に風景等の被写体のモニタ画像を表示するときは、前記第２の表示窓４から入射し、前記透過型液晶表示素子１２を透過した光が、図４に矢線ｂで示したように前記第１の表示窓３から出射する。
【００５３】
一方、前記第２の表示窓４に表示する撮像者自身等の被写体のモニタ画像は、前記表示窓遮蔽板２４を開いた状態で表示され、そのときは、前記第１の表示窓３から入射し、前記透過型液晶表示素子１２を透過した光が、図４に破矢線ｃで示したように前記第１の表示窓３から出射する。
【００５４】
そして、上記デジタルカメラは、前記表示窓遮蔽板２４を備えているため、前記第１の表示窓３に風景等の被写体のモニタ画像を前記反射表示により表示するときに、前記第２の表示窓４を前記表示窓遮蔽板２４により覆い隠すことができる。
【００５５】
図６及び図７はこの発明をモニタ付きデジタルカメラに適用した第２の実施例を示す前記デジタルカメラの遮蔽板閉状態及び開状態の断面図である。
【００５６】
この実施例のモニタ付きデジタルカメラは、上記第１の実施例のデジタルカメラに、カメラ本体１の後面の第１の表示窓３と透過型液晶表示素子１２との間に配置され、前記透過型液晶表示素子１２に向けて照明光を出射し、前記第１の表示窓３に対向する面及び前記透過型液晶表示素子１２に対向する面から入射した光を透過させる面光源２６をさらに配置したものであり、他の構成は第１の実施例と同じである。
【００５７】
前記面光源２６は、前記透過型液晶表示素子１２の少なくとも表示エリアの全域に対応する面積を有する矩形状の透明板からなり、その一端面に光を入射させる入射端面が形成され、２つの板面の一方に光を出射させる出射面が形成され、他方の板面に前記入射端面から入射した光を前記出射面から出射させる反射面を形成した導光板２７と、前記導光板２７の入射端面に対向させて前記入射端面の長さ方向に適当間隔で配置され、白色光を前記導光板２７の端面に向けて出射する複数の固体発光素子２８とからなっている。
【００５８】
なお、図では省略しているが、前記導光板２７の反射面には、その全域にわたって、前記入射端面の長さ方向（導光板の幅方向）と平行な方向に沿う複数の細長溝部が、前記透過型液晶表示素子１２の画素Ａの配列ピッチ（１００〜２００μｍ）と同程度またはそれよりも小さなピッチで設けられている。
【００５９】
また、前記固体発光素子２８は、例えば、赤色光を発する赤色ＬＥＤ（発光ダイオード）と、緑色光を発する緑色ＬＥＤと、青色光を発する青色ＬＥＤとを透明樹脂によりモールドしたものであり、これらのＬＥＤが発する赤、緑、緑の３色の光を混色させた白色光を出射する。
【００６０】
この面光源２６は、前記固体発光素子２８からの出射光を前記導光板２７により導いてその出射面の全域から均一な強度分布で出射するものであり、前記固体発光素子２８から出射して前記導光板２７にその入射端面から入射した光を、前記導光板２７の出射面及び反射面で内面反射と外気である空気層との界面での全反射により内面反射しながら前記導光板２７内を導き、その過程で前記反射面の複数の細長溝部により前記出射面の法線に対する角度が小さくなる方向に内面反射された光を、前記出射面から出射する。
【００６１】
また、前記導光板２７は、その出射面から入射した光を透過させて反射面から出射し、前記反射面から入射した光を透過させて前記出射面から出射する。
【００６２】
前記面光源２６は、前記第１の表示窓３と前記透過型液晶表示素子１２との間に、前記導光板２７の出射面を前記透過型液晶表示素子１２に対向させ、前記導光板２７の反射面を前記第１の表示窓３に対向させて配置され、カメラ本体１内に設けられた図示しない光源駆動回路に接続されている。
【００６３】
そして、この実施例では、前記光源駆動回路を、電子撮像手段のＣＣＤの受光強度が予め定めた設定強度以下になったときに前記面光源２６の固体発光素子２８を点灯させるように構成し、上述した外光を利用する表示では充分な輝度の表示が得られない明るさであるときに、自動的に前記面光源２６から照明光を出射させるようにしている。
【００６４】
この実施例のデジタルカメラは、前記第１の表示窓３と前記透過型液晶表示素子１２との間に前記面光源２６を配置しているため、前記第１の表示窓３に表示する風景等の被写体のモニタ画像を、上述した第１の実施例における第２の表示窓４から入射した外光を利用する透過表示及び前記第１の表示窓３から入射した外光を利用する反射表示に加えて、前記面光源２６からの照明光を利用する反射表示によっても表示し、前記第２の表示窓４に表示する撮像者自身等の被写体のモニタ画像を、第１の実施例における第１の表示窓３から入射した外光を利用する透過表示に加えて、前記面光源２６からの照明光を利用する透過表示によっても表示することができる。
【００６５】
この実施例のデジタルカメラにおいて、前記風景等の被写体のモニタ画像の外光を利用する反射表示は、表示窓遮蔽板２４を閉じた状態、つまり第２の表示窓４を前記表示窓遮蔽板２４により覆い隠した状態で行なわれ、このときは、第１の表示窓３から入射した光が、図６に矢線ｄで示したように前記面光源２６の導光板２７を透過して透過型液晶表示素子１２に入射し、この透過型液晶表示素子１２を透過して表示窓遮蔽板２４により反射された光が、前記透過型液晶表示素子１２と面光源２６の導光板２７とを再び透過して前記第１の表示窓３から出射する。
【００６６】
また、前記風景等の被写体のモニタ画像の外光を利用する透過表示は、前記表示窓遮蔽板２４を開いた状態で行なわれ、このときは、前記第２の表示窓４から入射し、前記透過型液晶表示素子１２を透過した光が、図７に矢線ｅで示したように前記面光源２６の導光板２７を透過して前記第１の表示窓３から出射する。
【００６７】
さらに、前記風景等の被写体のモニタ画像の照明光を利用する反射表示は、前記表示窓遮蔽板２４を閉じた状態（第２の表示窓４を前記表示窓遮蔽板２４により覆い隠した状態）で行なわれ、このときは、前記面光源２６の導光板２７の出射面から出射した照明光が図６に矢線ｆで示したように透過型液晶表示素子１２に入射し、この透過型液晶表示素子１２を透過して表示窓遮蔽板２４により反射された光が、前記透過型液晶表示素子１２を再び透過し、さらに面光源２６の導光板２７を透過して前記第１の表示窓３から出射する。
【００６８】
一方、第２の表示窓４に表示する撮像者等の被写体のモニタ画像の表示は、外光を利用するときも前記照明光を利用するときも、前記表示窓遮蔽板２４を開いた状態で、透過表示により行なわれる。
【００６９】
そして、前記撮像者等の被写体のモニタ画像を外光を利用して表示するときは、第１の表示窓３から入射した光が、図７に破矢線ｇで示したように前記面光源２６の導光板２７を透過して透過型液晶表示素子１２に入射し、この透過型液晶表示素子１２を透過した光が前記第２の表示窓４から出射する。
【００７０】
また、前記撮像者等の被写体のモニタ画像の照明光を利用して表示するときは、前記面光源２６の導光板２７の出射面から出射した照明光が図７に破矢線ｈで示したように透過型液晶表示素子１２に入射し、この透過型液晶表示素子１２を透過した光が前記第２の表示窓４から出射する。
【００７１】
図８及び図９はこの発明をモニタ付きデジタルカメラに適用した第３の実施例を示す前記デジタルカメラの遮蔽板閉状態及び開状態の断面図である。
【００７２】
この実施例のモニタ付きデジタルカメラは、両面表示型のモニタ画像表示素子として反射／透過型液晶表示素子２９を備え、カメラ本体１の後面の第１の表示窓３と前記反射／透過型液晶表示素子２９との間に、前記反射／透過型液晶表示素子２９に向けて照明光を出射し、前記第１の表示窓３に対向する面及び前記反射／透過型液晶表示素子２９に対向する面から入射した光を透過させる面光源２６を配置するとともに、前記カメラ本体１の前面に非反射性の表示窓遮蔽板４５を設けたものであり、他の構成は第１及び第２の実施例と同じである。
【００７３】
図１０は前記反射／透過型液晶表示素子２９の一部分の断面図であり、この反射／透過型液晶表示素子２９は、液晶層３０を挟んで対向する一対の透明基板３１，３２の対向する内面にそれぞれ互いに対向する領域により行方向（画面の左右方向）及び列方向（画面の上下方向）にマトリックス状に配列する複数の画素Ｂを形成する透明電極３３，３４が設けられるとともに、一方の基板、例えば図において下側の基板（以下、後基板と言う）３１の基板面とこの基板内面の電極３３との間に、前記複数の画素Ｂにそれぞれ部分的に対応する反射膜３７が設けられ、前記一対の基板３１，３２の外面にそれぞれ偏光板４２，４３が配置されてなり、前記複数の画素Ｂ内の前記反射膜３７に対応する領域により、他方の基板、つまり前基板３２の外面側から入射した光を前記反射膜３７により反射して前記前基板３２の外面側に出射する反射表示部Ｂ１を形成し、他の領域により、前記後基板３１の外面側から入射した光を透過させて前記前基板３２の外面側に出射する透過表示部Ｂ２を形成した構成となっている。
【００７４】
この反射／透過型液晶表示素子２９において、前記反射膜３７は、前記後基板３１の基板面に少なくとも前記複数の画素Ｂの配列領域にわたって設けられた透明な凹凸面膜３６の膜面上に、前記複数の凹部を除いて形成されている。
【００７５】
前記凹凸面膜３６は、透明膜の膜面に、前記画素Ｂの幅（以下、画素幅と言う）の１／１０以下、例えば前記画素幅の１／５０〜１／１０の幅を有する複数の凹部を、前記複数の画素Ｂにそれぞれ対応させて、これらの画素Ｂ内の複数箇所に対応する間隔で形成したものであり、前記複数の凹部は、例えば、前記画素Ｂの縦幅方向（画面の上下方向）に沿う細長形状で、前記画素Ｂの縦幅方向の両端部を除く領域に対応する長さを有するスリット状凹部であり、前記複数の画素Ｂに対応する領域にそれぞれ、この凹部の幅と同程度の間隔で互いに平行に形成されている。
【００７６】
なお、図１０では便宜上、前記凹凸面膜３６の複数の凹部の幅と間隔を大きく誇張して示しているが、前記画素幅は１００〜２５０μｍ、前記凹凸面膜３６の複数の凹部の幅と間隔はそれぞれ、１０μｍ以下、例えば５〜１０μｍの範囲であり、したがって、１つの画素Ｂに対応する前記凹部の数は１０以上（例えば１０〜２５）である。
【００７７】
そして、前記反射膜３７は、前記凹凸面膜３６の膜面上に、前記複数の凹部を除いて、アルミニウム系合金等の高反射率金属膜を蒸着またはメッキすることにより形成されている。
【００７８】
また、この反射／透過型液晶表示素子２９は、前記後基板３１の内面に、マトリックス状に配列する複数の画素電極３３と、これらの画素電極３３にそれぞれ接続された複数のＴＦＴ３５と、図示しない複数のゲート配線及びデータ配線とを設け、前記前基板３２の内面に、一枚膜状の対向電極３４を設けたアクティブマトリックス液晶表示素子であり、前記複数の画素電極３３とＴＦＴ３５とゲート配線及びデータ配線は、前記凹凸面膜３６及び反射膜３７を覆って設けられた透明な平坦化絶縁膜３８の上に形成され、前記対向電極３４は、前記前基板３２の内面に前記複数の画素Ｂにそれぞれ対応させて設けられた赤，緑，青の３色のカラーフィルタ３９Ｒ，３９Ｇ，３９Ｂの上に形成されている。
【００７９】
さらに、前記一対の基板３１，３２の内面にはそれぞれ、前記電極３３，３４を覆って配向膜４０，４１が設けられている。
【００８０】
そして、前記一対の基板３１，３２は、前記複数の画素Ｂがマトリックス状に配列している表示エリアを囲む枠状のシール材（図示せず）を介して接合されており、前記一対の基板３１，３２間の前記シール材で囲まれた領域に液晶層３０が設けられている。
【００８１】
また、この反射／透過型液晶表示素子２９は、例えばノーマリーホワイトモードのＴＮ型液晶表示素子であり、前記液晶層３０の液晶分子は、前記一対の基板３１，３２間において実質的に９０度のツイスト角でツイスト配向し、前記一対の基板３１，３２の外面の偏光板４２，４３は、それぞれの透過軸を実質的に直交させて配置されている。
【００８２】
さらに、前記反射膜３７が設けられた側とは反対側の前基板３２と、この前基板３２の外面に配置された前側偏光板４３との間には、光拡散粒子を分散させた透明粘着材からなる光拡散層４４が設けられている。
【００８３】
前記反射／透過型液晶表示素子２９は、その前面に、後面から入射した光のうち、前記複数の画素Ｂの透過表示部Ｂ２に入射した光の透過を前記複数の画素Ｂの液晶層３０への印加電界に応じて制御する透過表示と、前記前面から入射した光のうち、前記複数の画素Ｂの反射表示部Ｂ１に入射して液晶層３０を透過した光を後基板３１の内面の反射膜３７により反射し、その反射光の前面への出射を前記複数の画素Ｂの液晶層３０への印加電界に応じて制御する反射表示とのいずれかにより画像を表示し、後面に、前面から入射した光のうち、前記複数の画素Ｂの透過表示部Ｂ２に入射した光の透過を前記複数の画素Ｂの液晶層３０への印加電界に応じて制御する透過表示により画像を表示するものであり、いずれの面に表示される画像も、前記複数の画素Ｂにそれぞれ対応するカラーフィルタ３９Ｒ，３９Ｇ，３９Ｂにより着色された赤，緑，青の３色の光によるフルカラー画像である。
【００８４】
なお、この反射／透過型液晶表示素子２９の前面に表示する画像の反射表示は、前側偏光板４３に偏光子と検光子とを兼ねさせた一枚偏光板による表示である。
【００８５】
そして、前記反射／透過型液晶表示素子２９は、その前面（前側偏光板４３の外面）を前記第１の表示窓３に対向させ、他方の面、つまり前記反射膜３７けられた側の面（後側偏光板４２の外面）を前記第２の表示窓４対向させてカメラ本体１内に配置され、前記カメラ本体１内に設けられた図示しない表示素子駆動回路に接続されている。
【００８６】
なお、前記表示素子駆動回路は、上述した第１の実施例と同様に、画像反転キー１１の操作に応じて前記反射／透過型液晶表示素子２９に左右を反転させた画像データを書込むように構成されている。
【００８７】
また、前記面光源２６は、上述した第２の実施例における面光源２６と同じ構成のものであり、この面光源２６は、前記第１の表示窓３と前記反射／透過型液晶表示素子２９との間に、導光板２７の出射面を前記反射／透過型液晶表示素子２９に対向させ、前記導光板２７の反射面を前記第１の表示窓３に対向させて配置され、カメラ本体１内に設けられた図示しない光源駆動回路に接続されている。
【００８８】
この実施例のデジタルカメラは、モニタ画像表示素子として、液晶層３０を挟んで対向する一対の透明基板３１，３２の対向する内面にそれぞれ互いに対向する領域によりマトリックス状に配列する複数の画素Ｂを形成する透明電極３３，３４が設けられるとともに、後基板３１の基板面とこの基板内面の電極３３との間に、前記複数の画素Ｂにそれぞれ部分的に対応する反射膜３７が設けられ、前記一対の基板３１，３２の外面にそれぞれ偏光板４２，４３が配置されてなり、前記複数の画素Ｂ内の前記反射膜３７に対応する領域により、前基板３２の外面側から入射した光を前記反射膜３７により反射して前記前基板３２の外面側に出射する反射表示部Ｂ１を形成し、他の領域により、前記後基板３１の外面側から入射した光を透過させて前記前基板３２の外面側に出射する透過表示部Ｂ２を形成した反射／透過型液晶表示素子２９を用い、この反射／透過型液晶表示素子２９を、前記反射膜３７が設けられた側の面（後側偏光板４２の外面）を前記第２の表示窓４に対向させて配置しているため、前記第１の表示窓３に表示する風景等の被写体のモニタ画像を、前記第２の表示窓４から入射した外光を利用する透過表示と、前記第１の表示窓３から入射した外光を利用する反射表示、つまり前記反射／透過型液晶表示素子２９に第１の表示窓３に対向する面から入射して液晶層３０を透過した光を反射膜３７により反射させる反射表示のいずれかを任意に選択して表示し、前記第２の表示窓４に表示する撮像者自身等の被写体のモニタ画像を、前記第１の表示窓３から入射した外光を利用する透過表示により表示することができる。
【００８９】
なお、この実施例では、上述したように、前記反射／透過型液晶表示素子２９の後基板３の基板面に、前記画素Ｂの両端部を除く領域に対応する長さを有するスリット状の複数の凹部を、その幅と同程度の間隔で互いに平行に形成した凹凸面膜３６を設け、この凹凸面膜３６の膜面上に、前記複数の凹部を除いて反射膜３７を形成しているため、前記複数の画素Ｂの反射表示部Ｂ１の総面積、つまり反射表示の開口率を、前記複数の画素Ｂの透過表示部Ｂ２の総面積、つまり透過表示の開口率よりも大きくし、前記反射表示の明るさを充分に確保することができる。
【００９０】
さらに、このデジタルカメラは、前記第１の表示窓３と前記反射／透過型液晶表示素子２９との間に前記面光源２６を配置しているため、前記第１の表示窓３に表示する風景等の被写体のモニタ画像を、前記外光を利用する透過表示及び反射表示に加えて、前記面光源２６からの照明光を利用する反射表示によっても表示し、前記第２の表示窓４に表示する撮像者自身等の被写体のモニタ画像を、前記外光を利用する透過表示に加えて、前記面光源２６からの照明光を利用する透過表示によっても表示することができる。
【００９１】
すなわち、前記第１の表示窓３に表示する風景等の被写体のモニタ画像の外光を利用する反射表示は、前記第１の表示窓３から入射し、前記面光源２６の導光板２７を透過して前記反射／透過型液晶表示素子２９に入射した光のうち、この反射／透過型液晶表示素子２９の複数の画素Ｂの反射表示部Ｂ１の液晶層３０を透過して図１０に矢線で示したように反射膜３７により反射された光を、図８に矢線ｉで示したように前記導光板２７を透過させて前記第１の表示窓３から出射させて行なわれる。
【００９２】
また、前記風景等の被写体のモニタ画像の照明光を利用する反射表示は、前記面光源２６の導光板２７の出射面から出射し、前記反射／透過型液晶表示素子２９に入射した光のうち、この反射／透過型液晶表示素子２９の複数の画素Ｂの反射表示部Ｂ１の液晶層３０を透過して図１０に矢線で示したように反射膜３７により反射された光を、図８に矢線ｊで示したように前記導光板２７を透過させて前記第１の表示窓３から出射させて行なわれる。
【００９３】
前記風景等の被写体のモニタ画像の外光を利用する反射表示及び照明光を利用する反射表示は、前記反射／透過型液晶表示素子２９の反射膜３７により入射光を反射させて行うため、この反射表示は前記表示窓遮蔽板４５を閉じた状態でも開いた状態でも行なうことができるが、前記表示窓遮蔽板４５を図８のように閉じることにより、第２の表示窓４を前記表示窓遮蔽板４５により覆い隠すことができる。
【００９４】
なお、この実施例では、前記表示窓遮蔽板４５を非反射性遮蔽板としているため、この表示窓遮蔽板４５を閉じた状態で前記風景等の被写体のモニタ画像の反射表示を行なっても、前記第１の表示窓３または前記面光源２６から前記反射／透過型液晶表示素子２９に入射した光のうち、この反射／透過型液晶表示素子２９の複数の画素Ｂの透過表示部Ｂ２を透過した光が前記表示窓遮蔽板４５により反射されることはなく、したがって、前記第１の表示窓３に良好な品質のモニタ画像を表示することができる。
【００９５】
また、前記第１の表示窓３に表示する風景等の被写体のモニタ画像の外光を利用する透過表示は、前記表示窓遮蔽板４５を開いた状態で行なわれ、このときは、第２の表示窓４から入射し、前記反射／透過型液晶表示素子２９の複数の画素Ｂの透過表示部Ｂ２を図１０に矢線で示したように透過した光を、前記面光源２６の導光板２７を透過させて図９に矢線ｋで示したように前記第１の表示窓３から出射する。
【００９６】
一方、第２の表示窓４に表示する撮像者等の被写体のモニタ画像の表示は、外光を利用するときも前記照明光を利用するときも、前記表示窓遮蔽板２４を開いた状態で、透過表示により行なわれる。
【００９７】
そして、前記撮像者等の被写体のモニタ画像を外光を利用して表示するときは、第１の表示窓３から入射した光が、図９に破矢線ｍで示したように前記面光源２６の導光板２７を透過して反射／透過型液晶表示素子２９に入射し、この反射／透過型液晶表示素子２９の複数の画素Ｂの透過表示部Ｂ２を図１０に破矢線で示したように透過した光が、前記第２の表示窓４から出射する。
【００９８】
また、前記撮像者等の被写体のモニタ画像の照明光を利用して表示するときは、前記面光源２６の導光板２７の出射面から出射して反射／透過型液晶表示素子２９に入射し、この反射／透過型液晶表示素子２９の複数の画素Ｂの透過表示部Ｂ２を図１０に破矢線で示したように透過した光が、図９に破矢線ｎで示したように前記第２の表示窓４から出射する。
【００９９】
さらに、この実施例では、前記反射／透過型液晶表示素子２９の前記反射膜３７が設けられた側とは反対側の基板（前基板）３２と、この前基板３２の外面に配置された前側偏光板４３との間に光拡散層４４を設けているため、前記第１の表示窓３に風景等の被写体のモニタ画像を外光を利用する反射表示、照明光を利用する反射表示、外光を利用する透過表示のいずれにより表示するときも、また前記第２の表示窓４に撮像者自身等の被写体のモニタ画像を外光を利用する透過表示、照明光を利用する透過表示のいずれにより表示するときも、輝度分布が均一で、視野角の広いモニタ画像を表示することができる。
【０１００】
なお、上述した第１〜第３の実施例は、この発明をモニタ付きデジタルカメラに適用した例であるが、この発明は、他のモニタ付き撮像機器、例えばデジタルカメラ機能とモニタ画像表示機能とを備えた携帯電話機等にも適用することができる。
【図面の簡単な説明】
【０１０１】
【図１】この発明の第１の実施例を示すモニタ付きデジタルカメラの前面後面から見た図。
【図２】前記デジタルカメラの後面から見た図。
【図３】前記デジタルカメラの遮蔽板閉状態の断面図。
【図４】前記デジタルカメラの遮蔽板開状態の断面図。
【図５】透過型液晶表示素子の一部分の断面図。
【図６】この発明の第２の実施例を示すモニタ付きデジタルカメラの遮蔽板閉状態の断面図。
【図７】第２の実施例のデジタルカメラの遮蔽板閉状態の断面図。
【図８】この発明の第３の実施例を示すモニタ付きデジタルカメラの遮蔽板閉状態の断面図。
【図９】第３の実施例のデジタルカメラの遮蔽板閉状態の断面図。
【図１０】反射／透過型液晶表示素子の一部分の断面図。
【符号の説明】
【０１０２】
１…カメラ本体（機器本体）、２…撮像レンズ、３…第１の表示窓、４…第２の表示窓、１２…透過型液晶表示素子（両面表示型モニタ画像表示素子）、Ａ…画素、１３…液晶層、１４，１５…基板、１６，１７…電極、１８…ＴＦＴ、１９Ｒ，１９Ｇ，１９Ｂ…カラーフィルタ、２２，２３…偏光板、２４…表示窓遮蔽板（散乱反射板）、２６…面光源、２７導光板、２８…固体発光素子、２９…反射／透過型液晶表示素子（両面表示型モニタ画像表示素子）、Ｂ…画素、Ｂ１…反射表示部、Ｂ２…透過表示部、３０…液晶層、３１，３２…基板、３３，３４…電極、３５…ＴＦＴ、３６…凹凸面膜、３７…反射膜、３８…平坦化絶縁膜、３９Ｒ，３９Ｇ，３９Ｂ…カラーフィルタ、４２，４３…偏光板、４４…光拡散層、４５…表示窓遮蔽板（非反射性遮蔽板）。
【図１】
2005191818.tif 000003
【図２】
2005191818.tif 000004
【図３】
2005191818.tif 000005
【図４】
2005191818.tif 000006
【図５】
2005191818.tif 000007
【図６】
2005191818.tif 000008
【図７】
2005191818.tif 000009
【図８】
2005191818.tif 000010
【図９】
2005191818.tif 000011
【図１０】
2005191818.tif 000012